(57)【要約】【課題】細リブの耐ティア性能を向上できる空気入りタイヤを提供すること。【解決手段】この空気入りタイヤは、タイヤ周方向に延在する複数の周方向主溝と、これらの周方向主溝に区画されて成る複数の陸部とを備える。また、空気入りタイヤは、タイヤ周方向に延在する細溝４と、この細溝４により区画されて成る細リブとを、ショルダー陸部のタイヤ幅方向外側のエッジ部に備える。また、細溝４が、溝長さ方向および溝深さ方向の双方に向かってそれぞれ屈曲しつつ延在する三次元形状を有する。【選択図】図３
2015150962.tif 000002
【特許請求の範囲】
【請求項１】
タイヤ周方向に延在する複数の周方向主溝と、前記周方向主溝に区画されて成る複数の陸部とを備える空気入りタイヤであって、
タイヤ周方向に延在する細溝と、前記細溝により区画されて成る細リブとを、タイヤ幅方向の最も外側にある前記陸部のタイヤ幅方向外側のエッジ部に備え、且つ、
前記細溝が、溝長さ方向および溝深さ方向の双方に向かってそれぞれ屈曲しつつ延在する三次元形状を有することを特徴とする空気入りタイヤ。
【請求項２】
前記細溝の溝長さ方向に垂直な断面視にて、前記細溝の屈曲のピッチ長Ａと、前記細溝の溝深さＤとが、０．１５≦Ａ／Ｄ≦０．５０の関係を有する請求項１に記載の空気入りタイヤ。
【請求項３】
前記細溝の溝長さ方向に垂直な断面視にて、前記細溝の屈曲の振幅Ｂと、前記細溝の溝幅Ｗとが、０．０２５≦Ｂ／Ｗ≦１．０００の関係を有する請求項１または２に記載の空気入りタイヤ。
【請求項４】
前記細溝の溝深さ方向に垂直な断面視にて、前記細溝の屈曲のピッチ長Ｃと、前記細溝の周長Ｌとが、０．０００１≦Ｃ／Ｌ≦０．０３００の関係を有する請求項１〜３のいずれか一つに記載の空気入りタイヤ。
【請求項５】
前記細溝の溝深さ方向に垂直な断面視にて、前記細溝の屈曲の振幅Ｅと、前記細溝の溝幅Ｗとが、０．０２５≦Ｅ／Ｗ≦１．０００の関係を有する請求項１〜４のいずれか一つに記載の空気入りタイヤ。
【請求項６】
前記細溝の溝長さ方向に垂直な断面視にて、前記細溝の溝開口部から最初の屈曲点までの距離Ｈ１と、次の屈曲点までの距離Ｈ２とが、０．６≦Ｈ１／Ｈ２≦０．９の関係を有する請求項１〜５のいずれか一つに記載の空気入りタイヤ。
【請求項７】
前記細溝が、溝深さ方向に向かってタイヤ幅方向内側に傾斜すると共に、タイヤ径方向に対する前記細溝の傾斜角αが、１［deg］≦α≦３０［deg］の範囲にある請求項１〜６のいずれか一つに記載の空気入りタイヤ。
【請求項８】
前記細溝が、膨出部を溝底に有する請求項１〜７のいずれか一つに記載の空気入りタイヤ。
【発明の詳細な説明】
【技術分野】
【０００１】
この発明は、空気入りタイヤに関し、さらに詳しくは、細リブの耐ティア性能を向上できる空気入りタイヤに関する。
【背景技術】
【０００２】
近年の空気入りタイヤは、ショルダー陸部のタイヤ幅方向外側のエッジ部に沿ってタイヤ周方向に延在する細溝と、この細溝により区画された細リブとを備えている。かかる構成では、タイヤ転動時にて、細リブが、いわゆる摩耗犠牲リブとして機能してショルダー陸部の本体の偏摩耗を抑制する。これにより、タイヤの耐偏摩耗性能が向上する。かかる構成を採用する従来の空気入りタイヤとして、特許文献１に記載される技術が知られている。
【先行技術文献】
【特許文献】
【０００３】
【特許文献１】特許３３５７７２１号公報
【発明の概要】
【発明が解決しようとする課題】
【０００４】
一方、上記の構成では、タイヤが縁石等に乗り上げたときに、細リブがもげ易いという課題がある。
【０００５】
そこで、この発明は、上記に鑑みてなされたものであって、細リブの耐ティア性能を向上できる空気入りタイヤを提供することを目的とする。
【課題を解決するための手段】
【０００６】
上記目的を達成するため、この発明にかかる空気入りタイヤは、タイヤ周方向に延在する複数の周方向主溝と、前記周方向主溝に区画されて成る複数の陸部とを備える空気入りタイヤであって、タイヤ周方向に延在する細溝と、前記細溝により区画されて成る細リブとを、タイヤ幅方向の最も外側にある前記陸部のタイヤ幅方向外側のエッジ部に備え、且つ、前記細溝が、溝長さ方向および溝深さ方向の双方に向かってそれぞれ屈曲しつつ延在する三次元形状を有することを特徴とする。
【発明の効果】
【０００７】
この発明にかかる空気入りタイヤでは、細溝が三次元形状を有するので、タイヤが縁石等に乗り上げたときに、対向する細溝の溝壁が相互に噛み合う。これにより、細リブがショルダー陸部の本体に支持されて、細リブのティアが抑制される。これにより、タイヤの耐ティア性能が向上する利点がある。
【図面の簡単な説明】
【０００８】
【図１】図１は、この発明の実施の形態にかかる空気入りタイヤを示すタイヤ子午線方向の断面図である。
【図２】図２は、図１に記載した空気入りタイヤの細溝および細リブを示す説明図である。
【図３】図３は、図２に記載したショルダー陸部の細溝の溝壁を示す説明図である。
【図４】図４は、図２に記載したショルダー陸部の細溝の溝壁を示す説明図である。
【図５】図５は、図２に記載したショルダー陸部の細溝の溝壁を示す説明図である。
【図６】図６は、図１に記載した空気入りタイヤの変形例を示す説明図である。
【図７】図７は、図１に記載した空気入りタイヤの変形例を示す説明図である。
【図８】図８は、図１に記載した空気入りタイヤの変形例を示す説明図である。
【図９】図９は、図１に記載した空気入りタイヤの変形例を示す説明図である。
【図１０】図１０は、この発明の実施の形態にかかる空気入りタイヤの性能試験の結果を示す図表である。
【図１１】図１１は、この発明の実施の形態にかかる空気入りタイヤの性能試験の結果を示す図表である。
【図１２】図１２は、この発明の実施の形態にかかる空気入りタイヤの性能試験の結果を示す図表である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［空気入りタイヤ］
図１は、この発明の実施の形態にかかる空気入りタイヤを示すタイヤ子午線方向の断面図である。同図は、タイヤ径方向の断面図の片側領域の断面図を示している。また、同図は、空気入りタイヤの一例として、長距離輸送用のトラック、バスなどに装着される重荷重用ラジアルタイヤを示している。
【００１１】
同図において、タイヤ子午線方向の断面とは、タイヤ回転軸（図示省略）を含む平面でタイヤを切断したときの断面をいう。また、符号ＣＬは、タイヤ赤道面であり、タイヤ回転軸方向にかかるタイヤの中心点を通りタイヤ回転軸に垂直な平面をいう。また、タイヤ幅方向とは、タイヤ回転軸に平行な方向をいい、タイヤ径方向とは、タイヤ回転軸に垂直な方向をいう。
【００１２】
この空気入りタイヤ１は、タイヤ回転軸を中心とする環状構造を有し、一対のビードコア１１、１１と、一対のビードフィラー１２、１２と、カーカス層１３と、ベルト層１４と、トレッドゴム１５と、一対のサイドウォールゴム１６、１６と、一対のリムクッションゴム１７、１７を備える（図１参照）。
【００１３】
一対のビードコア１１、１１は、複数のビードワイヤを束ねて成る環状部材であり、左右のビード部のコアを構成する。一対のビードフィラー１２、１２は、ローワーフィラー１２１およびアッパーフィラー１２２から成り、一対のビードコア１１、１１のタイヤ径方向外周にそれぞれ配置されてビード部を構成する。
【００１４】
カーカス層１３は、左右のビードコア１１、１１間にトロイダル状に架け渡されてタイヤの骨格を構成する。また、カーカス層１３の両端部は、ビードコア１１およびビードフィラー１２を包み込むようにタイヤ幅方向内側からタイヤ幅方向外側に巻き返されて係止される。また、カーカス層１３は、スチールあるいは有機繊維材（例えば、ナイロン、ポリエステル、レーヨンなど）から成る複数のカーカスコードをコートゴムで被覆して圧延加工して構成され、絶対値で８５［deg］以上９５［deg］以下のカーカス角度（タイヤ周方向に対するカーカスコードの繊維方向の傾斜角）を有する。
【００１５】
ベルト層１４は、複数のベルトプライ１４１〜１４５を積層して成り、カーカス層１３の外周に掛け廻されて配置される。これらのベルトプライ１４１〜１４５は、例えば、高角度ベルト１４１と、一対の交差ベルト１４２、１４３と、ベルトカバー１４４と、周方向補強層１４５とから構成される。また、各ベルトプライ１４１〜１４５は、コートゴムで被覆されたスチールあるいは有機繊維材から成る複数のベルトコードを圧延加工して構成され、所定のベルト角度（タイヤ周方向に対するベルトコードの繊維方向の傾斜角）を有する。
【００１６】
トレッドゴム１５は、カーカス層１３およびベルト層１４のタイヤ径方向外周に配置されてタイヤのトレッド部を構成する。一対のサイドウォールゴム１６、１６は、カーカス層１３のタイヤ幅方向外側にそれぞれ配置されて左右のサイドウォール部を構成する。一対のリムクッションゴム１７、１７は、左右のビードコア１１、１１およびカーカス層１３の巻き返し部のタイヤ径方向内側にそれぞれ配置されて、リムフランジに対する左右のビード部の接触面を構成する。
【００１７】
［ショルダー陸部の細リブ］
図２は、図１に記載した空気入りタイヤの細溝および細リブを示す説明図である。同図は、ショルダー部のタイヤ子午線方向の拡大断面図を示している。
【００１８】
図１に示すように、この空気入りタイヤ１は、タイヤ周方向に延在する複数の周方向主溝２と、これらの周方向主溝２に区画されて成る複数の陸部３とをトレッド部に備える。
【００１９】
また、図２に示すように、空気入りタイヤ１は、タイヤ周方向に延在する細溝４と、この細溝４により区画されて成る細リブ５とを、タイヤ幅方向の最も外側にある陸部（ショルダー陸部）３ｓのタイヤ幅方向外側のエッジ部に備える。細溝４は、ショルダー陸部３ｓの踏面に開口し、タイヤ全周に渡って連続的に延在する。細リブ５は、ショルダー陸部３ｓのエッジ部に沿ってタイヤ全周に渡って連続的に延在する。
【００２０】
かかる構成では、タイヤ転動時にて、細リブ５が、いわゆる摩耗犠牲リブとして機能してショルダー陸部３ｓの本体の偏摩耗を抑制する。これにより、タイヤの耐偏摩耗性能が向上する。
【００２１】
細溝４の溝幅Ｗは、０．５［ｍｍ］≦Ｗ≦５．０［ｍｍ］の範囲に設定される。また、細溝４の溝深さＤは、７．０［ｍｍ］≦Ｄ≦３０．０［ｍｍ］の範囲に設定される。
【００２２】
溝幅Ｗは、タイヤを規定リムに装着して規定内圧を付与すると共に無負荷状態としたときの、溝開口部における溝幅として測定される。
【００２３】
溝深さＤは、タイヤを規定リムに装着して規定内圧を付与すると共に無負荷状態としたときの、溝開口部から溝底までのタイヤ径方向の距離として測定される。
【００２４】
ここで、規定リムとは、ＪＡＴＭＡに規定される「適用リム」、ＴＲＡに規定される「Design Rim」、あるいはＥＴＲＴＯに規定される「Measuring Rim」をいう。また、規定内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、規定荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００２５】
［細溝の溝壁］
近年の空気入りタイヤは、上記のように、細溝により区画された細リブ（摩耗犠牲リブ）をショルダー陸部のタイヤ幅方向外側のエッジ部に備えることにより、ショルダー陸部の偏摩耗を抑制している。
【００２６】
一方で、かかる構成では、タイヤが縁石等に乗り上げたときに、細リブがもげ易いという課題がある。
【００２７】
そこで、この空気入りタイヤ１では、細リブのもげを抑制して耐ティア性能を向上させるために、以下の構成を採用している。
【００２８】
図３〜図５は、図２に記載したショルダー陸部の細溝の溝壁を示す説明図である。これらの図において、図３は、細溝４の溝壁の透過斜視図を示している。また、図４は、細溝４を溝長さ方向に垂直な平面（溝幅方向および溝深さ方向を含む平面）で切断したときの断面図を示し、図５は、細溝４を溝深さ方向に垂直な平面（溝長さ方向および溝幅方向を含む平面）で切断したときの断面図を示している。
【００２９】
図３に示すように、この空気入りタイヤ１では、細溝４が、溝長さ方向および溝深さ方向の双方に向かってそれぞれ屈曲しつつ延在する三次元形状を有する。すなわち、細溝４の左右の溝壁が、溝長さ方向に垂直な断面視（図４参照）にて、溝幅方向に屈曲しつつ溝深さ方向に延在する形状を有する。同時に、細溝４の左右の溝壁が、溝深さ方向に垂直な断面視（図５参照）にて、溝幅方向に屈曲しつつ溝長さ方向に延在する形状を有する。また、細溝４の対向する左右の溝壁が、凹凸を逆にした同一の三次元形状を有する。
【００３０】
かかる構成では、細溝４が三次元形状を有するので、タイヤが縁石等に乗り上げたときに、対向する細溝４の溝壁が相互に噛み合う。かかる三次元形状の細溝４では、細溝が溝長さ方向あるいは溝深さ方向の一方向にのみ屈曲する構成（いわゆる二次元形状の細溝。図示省略。）と比較して、対向する溝壁の噛み合い力が強い。これにより、細リブ５がショルダー陸部３ｓの本体に支持されて、細リブ５のティアが効果的に抑制される。
【００３１】
また、細溝４の溝長さ方向に垂直な断面視（図４参照）にて、細溝４の屈曲のピッチ長Ａと、細溝４の溝深さＤとが、０．１５≦Ａ／Ｄ≦０．５０の関係を有することが好ましい。すなわち、細溝４が、溝開口部から溝底までの間に２回〜６回ほど屈曲することが好ましい。これにより、比Ａ／Ｄが適正化される。
【００３２】
ピッチ長Ａは、タイヤを規定リムに装着して規定内圧を付与すると共に無負荷状態としたときの、細溝４の全域における溝中心線のピッチ長の平均値として測定される。なお、細溝４が三次元形状を有する構成では、屈曲のピッチ長が、細溝４の溝長さ方向および溝深さ方向の各測定位置に応じて変化し得る。
【００３３】
また、細溝４の溝長さ方向に垂直な断面視（図４参照）にて、細溝４の屈曲の振幅Ｂと、細溝４の溝幅Ｗとが、０．０２５≦Ｂ／Ｗ≦１．０００の関係を有することが好ましい。すなわち、屈曲の振幅Ｂが溝幅Ｗに対して同等以下であることが好ましい。これにより、比Ｂ／Ｗが適正化される。
【００３４】
振幅Ｂは、タイヤを規定リムに装着して規定内圧を付与すると共に無負荷状態としたときの、細溝４の全域における溝中心線の振幅の平均値として測定される。
【００３５】
また、細溝４の溝深さ方向に垂直な断面視（図５参照）にて、細溝４の屈曲のピッチ長Ｃと、細溝４の周長Ｌ（図示省略）とが、０．０００１≦Ｃ／Ｌ≦０．０３００の関係を有することが好ましい。これにより、比Ｃ／Ｌが適正化される。
【００３６】
ピッチ長Ｃは、タイヤを規定リムに装着して規定内圧を付与すると共に無負荷状態としたときの、細溝４の全域における溝中心線のピッチ長の平均値として測定される。
【００３７】
周長Ｌは、タイヤを規定リムに装着して規定内圧を付与すると共に無負荷状態としたときの、細溝４の溝開口部における周長として測定される。
【００３８】
また、細溝４の溝深さ方向に垂直な断面視（図５参照）にて、細溝４の屈曲の振幅Ｅと、細溝４の溝幅Ｗとが、０．０２５≦Ｅ／Ｗ≦１．０００の関係を有する。すなわち、屈曲の振幅Ｅが溝幅Ｗに対して同等以下であることが好ましい。これにより、比Ｅ／Ｗが適正化される。
【００３９】
振幅Ｅは、タイヤを規定リムに装着して規定内圧を付与すると共に無負荷状態としたときの、細溝４の全域における溝中心線の振幅の平均値として測定される。
【００４０】
また、細溝４の溝長さ方向に垂直な断面視（図４参照）にて、細溝４の溝開口部から最初の屈曲点までの距離Ｈ１と、次の屈曲点までの距離Ｈ２とが、０．６≦Ｈ１／Ｈ２≦０．９の関係を有することが好ましい。すなわち、細溝４の溝開口部における屈曲形状が、溝開口部側に長辺を有するように構成される。これにより、比Ｈ１／Ｈ２が適正化される。
【００４１】
距離Ｈ１、Ｈ２は、タイヤを規定リムに装着して規定内圧を付与すると共に無負荷状態としたときの、タイヤ径方向の距離として測定される。
【００４２】
また、図２および図４に示すように、細溝４が、溝深さ方向に向かってタイヤ幅方向内側に傾斜することが好ましい。このとき、タイヤ径方向に対する細溝４の傾斜角α（図２参照）が、１［deg］≦α≦３０［deg］の範囲にあることが好ましい。これにより、細溝４の溝底における細リブ５の剛性が確保されて、細リブ５のティアが効果的に抑制される。
【００４３】
傾斜角αは、タイヤを規定リムに装着して規定内圧を付与すると共に無負荷状態としたときのタイヤ子午線方向の断面視にて、細溝４の溝開口部から溝底に引いた仮想線とタイヤ径方向とのなす角として測定される。
【００４４】
また、図４に示すように、細溝４が、膨出部４１を溝底に有することが好ましい。例えば、図４の構成では、膨出部４１が、一様な円形断面あるいは楕円形断面から成る滑らかな周面を有し、細溝４の溝底に沿ってタイヤ全周に渡って形成されている。また、膨出部４１が、０．２［ｍｍ］〜３．０［ｍｍ］程度の曲率半径を有し、溝幅Ｗよりも大きい外径を有している。かかる構成では、膨出部４１が細溝４の溝底における応力集中を緩和することにより、細リブ５のティアが効果的に抑制される。
【００４５】
［変形例］
図６〜図９は、図１に記載した空気入りタイヤの変形例を示す説明図である。これらの図は、細溝４の溝壁の透過斜視図を示している。
【００４６】
図３の構成では、三次元形状を有する細溝４の溝壁が、ブロック形状を有する複数の角柱を溝深さ方向に対して傾斜させつつ溝深さ方向および溝長さ方向に連結した構造を有する。また、細溝４の溝壁が、溝開口部にて、溝幅方向に屈曲しつつ溝長さ方向に延在するジグザグ形状を有する（図５参照）。また、細溝４の溝壁が、２箇所以上で溝幅方向に屈曲しつつ溝深さ方向に延在するジグザグ形状を有する（図４参照）。また、溝長さ方向に垂直な断面視（図４参照）における細溝４の振幅Ｂが、任意の周方向位置にて略一定であり、また、溝深さ方向に垂直な断面視（図５参照）における細溝４の振幅Ｅが、任意の溝深さ位置にて略一定である。また、図３および図４に示すように、上記複数の角柱は、溝長さ方向に垂直な断面視（図４参照）における細溝４のジグザグ形状を構成する２辺が、溝開口部側にて長尺となり、溝底側にて短尺となるように傾斜して連結される。これにより、細リブ５の反り返りが抑制されて、細リブ５のティアが効果的に抑制される。
【００４７】
これに対して、図６の構成では、細溝４の溝壁が、三角錐と逆三角錐とを溝長さ方向に連結した構造を有する。また、細溝４の溝壁が、溝開口部側のジグザグ形状と溝底側のジグザグ形状とを互いに溝幅方向にピッチをずらせ、溝開口部側と溝底側とのジグザグ形状の相互間で互いに対向し合う凹凸を有する。また、細溝４の溝壁が、これらの凹凸において、溝長さ方向に見たときの凹凸で、溝開口部側の凸屈曲点と溝底側の凹屈曲点との間、溝開口部側の凹屈曲点と溝底側の凸屈曲点との間、溝開口部側の凸屈曲点と溝底側の凸屈曲点とで互いに隣接し合う凸屈曲点同士の間をそれぞれ稜線で結ぶと共に、これら稜線間を溝幅方向に順次平面で連結することにより形成される。また、一方の細溝４の溝壁が、凸状の三角錐と逆三角錐とを交互に溝幅方向に並べた凹凸面を有し、他方の細溝４の溝壁が、凹状の三角錐と逆三角錐とを交互に溝幅方向に並べた凹凸面を有する。
【００４８】
また、図７の構成では、細溝４の溝壁が、陸部の踏面の平面視にて直線形状となる開口部を有する。また、細溝４の溝壁が、溝開口部から陸部の少なくとも８０［％］摩耗位置まで溝深さが深くなるに連れて振れ幅を漸増しながら溝長さ方向に湾曲または屈曲を繰り返す波状形状を有する。
【００４９】
また、図８の構成では、細溝４の溝壁が、溝幅方向の一方側へ突き出した第一オフセット部と、第一オフセット部よりも溝底側の位置で溝幅方向の他方側へ突き出した第二オフセット部とを有する。また、８０［％］摩耗時の細溝４のペリフェリ長さが、タイヤ新品時の細溝４のペリフェリ長さに対して１．１０倍以上１．５０倍以下の範囲にある。また、８０［％］摩耗時における細溝４の平面形状が、タイヤ新品における細溝４の平面形状に対して平行部分を有する。また、この平行部分の総長さが、タイヤ新品時の細溝４の溝長さに対して０．２０倍以上０．８０倍以下の範囲にある。
【００５０】
図９は、図１に記載した空気入りタイヤの変形例を示す説明図である。同図は、ショルダー部のタイヤ子午線方向の拡大断面図を示している。
【００５１】
図１の構成では、図２に示すように、細リブ５の踏面が、ショルダー陸部３ｓの踏面に対して面一となるように配置されている。
【００５２】
これに対して、図９の構成では、細リブ５の踏面が、ショルダー陸部３ｓの踏面に対してタイヤ径方向内側にオフセットして配置される。また、細リブ５のオフセット量Ｇが０．５［ｍｍ］≦Ｇ≦３．０［ｍｍ］の範囲にあることが好ましい。これにより、細リブ５の摩耗犠牲リブとして機能が向上して、ショルダー陸部３ｓの偏摩耗が効果的に抑制される。
【００５３】
［効果］
以上説明したように、この空気入りタイヤ１は、タイヤ周方向に延在する複数の周方向主溝２と、これらの周方向主溝２に区画されて成る複数の陸部３とを備える（図１参照）。また、空気入りタイヤ１は、タイヤ周方向に延在する細溝４と、この細溝４により区画されて成る細リブ５とを、タイヤ幅方向の最も外側にある陸部（ショルダー陸部）のタイヤ幅方向外側のエッジ部に備える（図２参照）。また、細溝４が、溝長さ方向および溝深さ方向の双方に向かってそれぞれ屈曲しつつ延在する三次元形状を有する（図３〜図５参照）。
【００５４】
かかる構成では、細溝４が三次元形状を有するので、タイヤが縁石等に乗り上げたときに、対向する細溝４の溝壁が相互に噛み合う。これにより、細リブ５がショルダー陸部３ｓの本体に支持されて、細リブ５のティアが抑制される。これにより、タイヤの耐ティア性能が向上する利点がある。
【００５５】
また、この空気入りタイヤ１では、細溝４の溝長さ方向に垂直な断面視にて、細溝４の屈曲のピッチ長Ａと、細溝４の溝深さＤとが、０．１５≦Ａ／Ｄ≦０．５０の関係を有する（図４参照）。これにより、比Ａ／Ｄが適正化される利点がある。すなわち、０．１５≦Ａ／Ｄであることにより、三次元形状の細溝４における溝壁の噛み合い力が適正に緩和されて、細リブ５が摩耗犠牲リブとして適正に機能する。また、Ａ／Ｄ≦０．５０であることにより、細リブ５の剛性が適正に確保されて、細リブ５のティアが適正に抑制される。
【００５６】
また、この空気入りタイヤ１では、細溝４の溝長さ方向に垂直な断面視にて、細溝４の屈曲の振幅Ｂと、細溝４の溝幅Ｗとが、０．０２５≦Ｂ／Ｗ≦１．０００の関係を有する（図４参照）。これにより、比Ｂ／Ｗが適正化される利点がある。すなわち、０．０２５≦Ｂ／Ｗであることにより、三次元形状の細溝４における溝壁の噛み合い力が適正に緩和されて、細リブ５が摩耗犠牲リブとして適正に機能する。また、Ｂ／Ｗ≦１．０００であることにより、細リブ５の剛性が適正に確保されて、細リブ５のティアが適正に抑制される。
【００５７】
また、この空気入りタイヤ１では、細溝４の溝深さ方向に垂直な断面視にて、細溝４の屈曲のピッチ長Ｃと、細溝４の周長Ｌとが、０．０００１≦Ｃ／Ｌ≦０．０３００の関係を有する（図５参照）。これにより、比Ｃ／Ｌが適正化される利点がある。すなわち、０．０００１≦Ｃ／Ｌであることにより、三次元形状の細溝４における溝壁の噛み合い力が適正に緩和されて、細リブ５が摩耗犠牲リブとして適正に機能する。また、Ｃ／Ｌ≦０．０３００であることにより、細リブ５の剛性が適正に確保されて、細リブ５のティアが適正に抑制される。
【００５８】
また、この空気入りタイヤ１では、細溝４の溝深さ方向に垂直な断面視にて、細溝４の屈曲の振幅Ｅと、細溝４の溝幅Ｗとが、０．０２５≦Ｅ／Ｗ≦１．０００の関係を有する（図５参照）。これにより、比Ｅ／Ｗが適正化される利点がある。すなわち、０．０２５≦Ｅ／Ｗであることにより、三次元形状の細溝４における溝壁の噛み合い力が適正に緩和されて、細リブ５が摩耗犠牲リブとして適正に機能する。また、Ｅ／Ｗ≦１．０００であることにより、細リブ５の剛性が適正に確保されて、細リブ５のティアが適正に抑制される。
【００５９】
また、この空気入りタイヤ１では、細溝４の溝長さ方向に垂直な断面視にて、細溝４の溝開口部から最初の屈曲点までの距離Ｈ１と、次の屈曲点までの距離Ｈ２とが、０．６≦Ｈ１／Ｈ２≦０．９の関係を有する（図４参照）。これにより、細リブ５の反り返りが抑制されて、細リブ５のティアが効果的に抑制される利点がある。
【００６０】
また、この空気入りタイヤ１では、細溝４が、溝深さ方向に向かってタイヤ幅方向内側に傾斜すると共に、タイヤ径方向に対する細溝４の傾斜角αが、１［deg］≦α≦３０［deg］の範囲にある（図２参照）。これにより、細溝４の溝底における細リブ５の剛性が確保されて、細リブ５のティアが効果的に抑制される利点がある。
【００６１】
また、この空気入りタイヤ１では、細溝４が、膨出部４１を溝底に有する（図４参照）。かかる構成では、膨出部４１が細溝４の溝底における応力集中を緩和することにより、細リブ５のティアが効果的に抑制される利点がある。
【実施例】
【００６２】
図１０〜図１２は、この発明の実施の形態にかかる空気入りタイヤの性能試験の結果を示す図表である。
【００６３】
この性能試験では、複数種類の試験タイヤについて、（１）耐偏摩耗性能および（２）耐ティア性能に関する評価が行われた。また、タイヤサイズ１１Ｒ２２．５（１４ＰＲ）試験タイヤがリムサイズ２２．５”×７．５０”のリムに組み付けられ、この試験タイヤに７００［ｋＰａ］の空気圧および２６．７２［ｋＮ］の荷重が付与される。また、試験タイヤが、試験車両である２Ｄ（前２駆動輪）車のフロント軸に装着される。
【００６４】
（１）耐偏摩耗性能に関する評価では、試験車両が舗装路を１０万［ｋｍ］走行し、その後にショルダー陸部のタイヤ幅方向外側のエッジ部の摩耗量と最外周方向主溝側のエッジ部の摩耗量との差が測定されて、指数評価が行われる。この評価は、従来例を基準（１００）とした指数評価により行われ、その数値が大きいほど好ましい。
【００６５】
（２）耐ティア性能に関する評価では、試験車両が、コース内に設けられた段差に対して一定角度で進入および退出を１０回繰り返し、細溝におけるティアの発生が観察される。そして、この観察結果に基づいて、従来例を基準（１００）とした指数評価が行われる。この数値は、大きいほど好ましい。
【００６６】
実施例１〜実施例２８の試験タイヤは、図１〜図５に記載した構成を備え、細溝４が、三次元形状の溝壁を有する。また、細溝４の溝幅Ｗが、Ｗ＝１．５［ｍｍ］であり、溝深さＤが、Ｄ＝１２．０［ｍｍ］であり、周長Ｌが、Ｌ＝３２４６［ｍｍ］である。
【００６７】
従来例１の試験タイヤでは、実施例１の構成において、細溝４が、平面形状の溝壁を有する。また、従来例２の試験タイヤでは、実施例１の構成において、細溝４が、溝深さ方向に屈曲し、且つ、溝長さ方向に一様な断面を有する二次元形状の溝壁を有する。
【００６８】
試験結果が示すように、実施例１〜実施例２８の試験タイヤでは、タイヤの耐偏摩耗性能および耐ティア性能が向上することが分かる。
【符号の説明】
【００６９】
１：空気入りタイヤ、２：周方向主溝、３：陸部、３ｓ：ショルダー陸部、４：細溝、４１：膨出部、５：細リブ、１１：ビードコア、１２：ビードフィラー、１２１：ローアーフィラー、１２２：アッパーフィラー、１３：カーカス層、１４：ベルト層、１４１〜１４５：ベルトプライ、１５：トレッドゴム、１６：サイドウォールゴム、１７：リムクッションゴム
【図１】
2015150962.tif 000003
【図２】
2015150962.tif 000004
【図３】
2015150962.tif 000005
【図４】
2015150962.tif 000006
【図５】
2015150962.tif 000007
【図６】
2015150962.tif 000008
【図７】
2015150962.tif 000009
【図８】
2015150962.tif 000010
【図９】
2015150962.tif 000011
【図１０】
2015150962.tif 000012
【図１１】
2015150962.tif 000013
【図１２】
2015150962.tif 000014